(57)【要約】【課題】簡略な構造ながら容易に地中に挿入して確実な根切りと十分な穴開けを実現でき、芝生の養生を効率よく行える芝生根切り具を提供する。【解決手段】ハンドル５ａの反対側となるフレーム５先端側に略筒状の根切り部２及び足踏み部３を有すると共に、根切り部２内で進退可能な略棒状の土落し部４を配設され、ハンドル５ａを手で押下げ、あるいは足踏み部３に足で体重をかけつつ根切り部２を地面に挿入すると、略筒状の根切り部２が進行方向に位置する土を内部に取込みながら地中を進むことにより、根切り部２を外径の割に少ない抵抗で地中に挿入でき、且つ刃としての適度な薄さが確保された根切り部２先端で根を切断できることとなり、地中に大きな穴を開けることと確実に根切りを行うこととを両立でき、芝生の養生を確実に行える上、作業がスムーズに行え、作業能率を大きく向上させられる。【選択図】  図１
2004305153.tif 000002
【特許請求の範囲】
【請求項１】
少なくとも一端側に把持用のハンドルを有すると共に他端側に地中挿入部分を有してなる芝生根切り具において、
先端を略刃状とされた略筒状体で形成され、所定間隔で略平行に複数配設されて前記地中挿入部分をなす根切り部と、
当該各根切り部端部を一体に固定され、上側に足の一部を載置可能な足踏み部と、
複数の略棒状体で形成され、それぞれ前記各根切り部内に挿入された状態で根切り部長手方向に所定範囲移動可能に配設される土落し部と、
前記足踏み部と一端側の前記ハンドルとを連結一体化するフレームと、
少なくとも前記足踏み部より上側に配設されて前記各土落し部の上端部を全て又は複数組分け状態で一体に連結させる一又は複数の連結部とを備えることを
特徴とする芝生根切り具。
【請求項２】
前記請求項１に記載の芝生根切り具において、
前記フレームに上下動可能に遊挿支持され、前記連結部の上面に一端部を当接可能とされてなる略棒状の土落し部押下部と、
前記フレームにおけるハンドル近傍に揺動自在に取付けられ、前記土落し部押下部他端部に連結されて土落し部押下部を上下動させる操作レバーとを備えることを
特徴とする芝生根切り具。
【請求項３】
前記請求項１に記載の芝生根切り具において、
前記連結部及び足踏み部の上側で前記フレームに少なくとも連結部の上面に当接可能且つ連結部の可動範囲に対応して上下動可能に支持配設され、上部に前記足踏み部と略平行をなして足の一部を載置可能な平面部分を有してなる足載せ部を備えることを
特徴とする芝生根切り具。
【発明の詳細な説明】
【０００１】
【発明の属する技術分野】
本発明は、芝生のある地面に穴を開けて地中への通気性を高めると同時に芝の根切りを行う芝生根切り具に関し、特に人手による作業でも能率よく根切り及び穴開けが行える芝生根切り具に関する。
【０００２】
【従来の技術】
芝生に対しては、従来から、芝の養生のために、芝生のある地面に深さ数ｃｍ〜十数ｃｍ程度の穴を多数穿設し、芝の根切りと共に地中への通気性向上を図る作業が定期的に行われている。一般家庭の庭においてこのような作業を行う場合、従来は専用の器具を用いて人手で行われていた。
このような従来の器具としては、上端に手で握るハンドルの付いた柄の下端部に足載せ部分があり、さらにこの足載せ部分の先に数本の根切り用刃が平行に取付けられたものが市販され、一般的に用いられていた。この従来の芝生根切り具の一例を図４に示す。図４は従来の芝生根切り具の正面図である。
【０００３】
前記図４において従来の芝生根切り具１００は、ハンドル１０１の付いた柄１０２の下端部に数本の細い板状の刃１０３と丈夫なステップ１０４とを備える構成である。この従来の根切り具による作業は、まず手でハンドル１０１を握り、全体を芝生面にほぼ垂直に立てた状態で刃１０３を芝生面に突き刺し、さらに足を足載せ部分に載せて体重をかけ、刃１０３のほぼ全長を地面に挿入して芝の根切りを行うと共に、続いてハンドル１０１に力を加えて必要に応じ全体を左右に揺らしながら刃１０３を地面から引抜き、抜いた後に穴を生じさせるというものである。
この一連の作業を所定の間隔毎に繰返し、芝生面全体に根切り作業を行っていた。
【０００４】
【発明が解決しようとする課題】
従来の芝生根切り具は以上のように構成されており、根切りのために鋭利な刃１０３を有しているが、刃１０３の断面積が小さいために地面に小さな穴しか開けられず、通気性を十分に確保して芝の根に対する空気供給状態を大きく改善することは難しいという課題を有していた。
これに対して、穴を大きくするために単純に地中に入る部分を太くすると、通気性を与える点については向上するが、地中へ刃を入れる際の抵抗が大きくなると共に、根切りも困難になってしまうという課題を有していた。
【０００５】
また、従来の芝生根切り具では、根切りを行える範囲が狭く、作業を多く繰り返す必要があり、多くの手間を必要として作業効率がよくないという課題を有していた。一方、こうした根切り具の他に、エンジン駆動によりこうした作業を能率よく行う機械器具も従来から存在したが、元々ゴルフ場など広い芝生面を対象としたものであり、操作や保守の面で煩雑であり、且つ大型であるため、一般家庭等における芝生の養生作業に用いることは困難であった。
【０００６】
本発明は前記課題を解消するためになされたもので、簡略な構造ながら容易に地中に挿入して確実な根切りと十分な穴開けを実現でき、芝生の養生を効率よく行える芝生根切り具を提供することを目的とする。
【０００７】
【課題を解決するための手段】
本発明に係る芝生根切り具は、少なくとも一端側に把持用のハンドルを有すると共に他端側に地中挿入部分を有してなる芝生根切り具において、先端を略刃状とされた略筒状体で形成され、所定間隔で略平行に複数配設されて前記地中挿入部分をなす根切り部と、当該各根切り部端部を一体に固定され、上側に足の一部を載置可能な足踏み部と、複数の略棒状体で形成されてそれぞれ各根切り部内に挿入された状態で根切り部長手方向に所定範囲移動可能に配設される土落し部と、前記足踏み部と一端側の前記ハンドルとを連結一体化するフレームと、少なくとも前記足踏み部より上側に配設されて前記各土落し部の上端部を全て又は複数組分け状態で一体に連結させる一又は複数の連結部とを備えるものである。
【０００８】
このように本発明においては、ハンドルの反対側となるフレーム先端側に略筒状の根切り部及び足踏み部を有すると共に、根切り部内で進退可能な略棒状の土落し部を配設され、ハンドルを手で押下げ、あるいは足踏み部に足で体重をかけつつ根切り部を地面に挿入すると、略筒状の根切り部が進行方向に位置する土を内部に取込みながら地中を進むことにより、根切り部を外径の割に少ない抵抗で地中に挿入でき、且つ刃としての適度な薄さが確保された根切り部先端で根を切断できることとなり、地中に大きな穴を開けることと確実に根切りを行うこととを両立でき、芝生の養生を確実に行える上、作業がスムーズに行え、作業能率を大きく向上させられる。また、根切り部を地面から抜いた後、根切り部内に残った土等は、これらが根切り部内に入り込んだことで根切り部から浮上がった状態の土落し部に対し、連結部を押下げて各土落し部をまとめて各根切り部先端側に進めることで容易且つ確実に除去でき、次の作業に支障が出ず、作業性に優れる。
【０００９】
また、本発明に係る芝生根切り具は必要に応じて、前記フレームに上下動可能に遊挿支持され、前記連結部の上面に一端部を当接可能とされてなる略棒状の土落し部押下部と、前記フレームにおけるハンドル近傍に揺動自在に取付けられ、前記土落し部押下部他端部に連結されて土落し部押下部を上下動させる操作レバーとを備えるものである。
このように本発明においては、連結部を下方へ押圧可能な土落し部押下げ部及びこの土落し部押下げ部を上下動させる操作レバーを配設し、土落し部を根切り部内に進めて根切り部内の土を除去しようとする際、操作レバーの操作で土落し部押下げ部を介して連結部を押下げられることにより、ハンドルに近い操作レバーに対しハンドルを握った姿勢に近い状態で操作して容易に連結部及び土落し部を押下げられ、地面に近い連結部を手で直接取扱うことなく作業が進められ、作業性が大きく向上する。
【００１０】
また、本発明に係る芝生根切り具は必要に応じて、前記連結部及び足踏み部の上側で前記フレームに少なくとも連結部の上面に当接可能且つ連結部の可動範囲に対応して上下動可能に支持配設され、上部に前記足踏み部と略平行をなして足の一部を載置可能な平面部分を有してなる足載せ部を備えるものである。
このように本発明においては、足踏み部と連結部の上側に上下動可能な足載せ部を配設し、土落し部を根切り部内に進めて根切り部内の土を除去しようとする際、足載せ部を足で踏むと下側に当接した連結部を押下げられることにより、ハンドルを握った姿勢に近い状態から足で容易に連結部及び土落し部を押下げられ、地面に近い連結部を手で直接取扱うことなく作業が進められ、作業性が大きく向上する。
【００１１】
【発明の実施の形態】
以下、本発明の一実施の形態に係る芝生根切り具について、図１及び図２に基づいて説明する。図１は本実施の形態に係る芝生根切り具の斜視図、図２は本実施の形態に係る芝生根切り具の要部側面図である。
【００１２】
前記各図に示すように、本実施の形態に係る芝生根切り具１は、所定間隔で略平行に複数配設される略筒状の根切り部２と、これら各根切り部２端部を一体に固定され、上側に足の一部を載置可能な足踏み部３と、各根切り部２内に挿入された状態で根切り部２長手方向に所定範囲移動可能に配設される略棒状の土落し部４と、一端側に把持用のハンドル５ａを形成されると共に他端側に前記足踏み部３を固定されてなるフレーム５と、足踏み部３より上側で前記各土落し部４の上端部を所定数ごとに一体に連結させる二つの連結部６と、前記フレーム５に上下動可能に遊挿支持される略棒状の土落し部押下部７と、前記フレーム５におけるハンドル５ａ近傍に揺動自在に取付けられ、前記土落し部押下部７上部に連結されて土落し部押下部７を上下動させる操作レバー８とを備える構成である。
【００１３】
前記根切り部２は、先端部を他部分より薄くして略刃状とされた略筒状体で形成され、足幅より広い間隔で二列に並列させて配置され、各列毎に三本の計六本が足踏み部３下側に一体に取付けられて足踏み部３からの突出状態とされる構成である。また、前記足踏み部３は、複数の部材を組合わせて足を載置可能な大きさの略枠状に形成され、両側端部の下側に根切り部２の各列をそれぞれ一体に固定されると共に、根切り部２の内側穴に連通する土落し部４貫通用の孔を穿設されてなる構成である。なお、この足踏み部３は十分な強度を有していれば板状など他の形態でもかまわない。
【００１４】
前記土落し部４は、根切り部２より長く且つ根切り部２内側より若干外径の細い円断面形状の棒状体で形成され、それぞれ各根切り部２内に挿入された状態で根切り部２長手方向に所定範囲移動可能に配設される構成である。これら各土落し部４は、根切り部２の列ごとに対応させて足踏み部３より上側に配置された連結部６の下側に上端部を固定されて三つずつ一体に連結される。
【００１５】
前記フレーム５は、ハンドル５ａを一体形成される一端側に対し他端側を枠状に形成され、このフレーム５他端側は足踏み部３への足の出し入れに干渉せず且つ土落し部４及び連結部６の上下動と干渉しないよう、足踏み部３の各コーナ部分と一体に固定される構成である。このフレーム５他端部には、各連結部６上面と接触して連結部６の上限位置を規定し、土落し部４の根切り部２からの抜け落ちを防ぐストッパ５ｂも配設される。
前記土落し部押下部７は、下端を各連結部６の上面にそれぞれ当接可能な略Ｔ字状とされる略棒状体で形成され、フレーム５他端部に上下動可能且つ若干の横方向への傾きを許容するように遊挿支持され、連結部６を下方へ押圧可能とされる構成である。
【００１６】
前記操作レバー８は、細長い略棒状体で形成され、一端部から所定寸法離れた中間位置でフレーム５におけるハンドル５ａ近傍に揺動自在に取付けられる一方、他端部を土落し部押下部７上部に互いに揺動可能な状態で連結されてなる構成である。この操作レバー８一端部のフレーム５に対する所定角度範囲の上下動操作で土落し部押下部７を上下動させられる仕組みである。なお、操作レバー８の手で握る一端側からフレーム５への取付け部分までの長さに比べ、フレームへの取付け部分から土落し部押下部７と連結された他端部までの長さは短くなっており、連結部６を押す際、操作レバー８には軽く力を加えればよい仕組みとなっている。
【００１７】
次に、前記構成に基づく芝生根切り具を用いた作業状態について説明する。初期状態として、根切り部２に土落し部４が完全に挿入されているものとする。まず、手でハンドル５ａを握り、器具全体を芝生面にほぼ垂直に立てた状態で根切り部２を芝生面に突き刺し、ハンドル５ａを手で押下げ、さらに足を足踏み部３に載せて体重をかけ、根切り部２のほぼ全長を地面に挿入して芝の根切りを行う。この時、略筒状の根切り部２が進行方向に位置する土を内部に取込みながら地中を進むこととなり、根切り部２に挿入されていた土落し部４が土に押されて根切り部２から浮上がった状態となる。
【００１８】
根切り部２を地面に十分挿入したら、続いて、ハンドル５ａに逆に力を加えて引上げ、根切り部２を地面から引抜き、抜いた後に穴を生じさせる。上記の根切り部２の地面への挿入や抜脱が土質等により困難な場合は、器具全体を左右や前後に少しずつ傾けながら挿入あるいは抜くようにすればよい。
【００１９】
根切り部２を地面から抜いた後、根切り部２には地面に挿入した際に入り込んだ土等が残っているが、これら残った土等は、ハンドル５ａ近傍の操作レバー８を操作し、土落し部押下部７を介して各連結部６をまとめて押下げ、根切り部２から浮上がった状態の各土落し部４をまとめて各根切り部２先端側に進めることで根切り部２から除去できる。土等を根切り部２から除去すると、根切り部２に土落し部４が完全に挿入されている初期状態に復帰する。
この一連の作業を芝生面に対して所定の間隔毎に繰返し、芝生面全体に根切り作業を行っていけばよい。一度の作業で二列分根切り及び穴開けが行えるので、作業効率がよい。
【００２０】
このように、本実施の形態に係る芝生根切り具は、ハンドル５ａの反対側となるフレーム５先端に略筒状の根切り部２及び足踏み部３を有すると共に、根切り部２内を進退可能な略棒状の土落し部４を配設され、ハンドル５ａを手で押下げ、あるいは足踏み部３に足で体重をかけつつ根切り部２を地面に挿入すると、略筒状の根切り部２が進行方向に位置する土を内部に取込みながら地中を進むことから、根切り部２をより少ない抵抗で地中に挿入して刃としての適度な薄さが確保された根切り部２先端で根を切断できることとなり、地中に大きな穴を開けることと確実に根切りを行うこととを両立でき、芝生の養生を確実に行える上、作業がスムーズに行え、作業能率を大きく向上させられる。また、根切り部２を地面から抜いた後、根切り部２に残った土等は、これらが根切り部２に入り込んだことで根切り部２から浮上がった状態の土落し部４に対し、連結部６を押下げて各土落し部４をまとめて各根切り部２先端側に進めることで容易且つ確実に除去でき、次の作業の支障にならず、作業性に優れる。
【００２１】
なお、前記実施の形態に係る芝生根切り具においては、根切り部２内から土を除去するのに操作レバー８及び土落し部押下部７を用いた機構で連結部６を押下げて土落し部４を動かす構成としているが、これに限らず、図３に示すように、上下動可能にフレーム５に支持される足載せ部９を足踏み部３と連結部６の上側に配設し、根切り部２内の土を除去しようとする際、この足載せ部９を足で踏んで下側に当接した連結部６を押下げることで土落し部４を根切り部２内に進められる構成とすることもでき、足で容易に連結部６及び土落し部４を押下げられ、前記実施の形態同様、連結部６を手で直接取扱うことなく作業が進められると共に、連結部６を押下げる複雑な機構が不要となり、構造を大幅に簡略化でき、コストダウンが図れる。
【００２２】
また、前記実施の形態に係る芝生根切り具において、根切り部２の筒形状は円筒形としているが、これに限らず、楕円断面や、三角、四角等の多角形断面、あるいはこれらを適宜組合わせた断面形状の略筒状体とすることもできる。加えて、根切り部２は三本×二列の計六本配設する構成としているが、これに限らず、四本、八本など、設ける本数を適宜増減してもかまわない。さらに、根切り部２先端の刃部分は円筒端として同じ先端位置に揃えた構成としているが、これに限らず、強度や地中への挿入性を大きく損わない範囲で、先端を斜めにしたり波状に形成したりして先端を揃えない刃形状にする構成とすることもできる。
【００２３】
また、前記実施の形態に係る芝生根切り具において、土落し部４は根切り部２の地面への挿入時に根切り部２に入り込む土に押されることで浮上がる構造としているが、これに限らず、例えば土落し部押下部７と連結するなど、所定の機構を用いて手動で上に持上げられる構成とすることもでき、根切り部２の地面への挿入前に土落し部４を持上げておくことで、根切り部２の地面への挿入抵抗を若干軽減することができる。
【００２４】
【発明の効果】
以上のように本発明によれば、ハンドルの反対側となるフレーム先端側に略筒状の根切り部及び足踏み部を有すると共に、根切り部内で進退可能な略棒状の土落し部を配設され、ハンドルを手で押下げ、あるいは足踏み部に足で体重をかけつつ根切り部を地面に挿入すると、略筒状の根切り部が進行方向に位置する土を内部に取込みながら地中を進むことにより、根切り部を外径の割に少ない抵抗で地中に挿入でき、且つ刃としての適度な薄さが確保された根切り部先端で根を切断できることとなり、地中に大きな穴を開けることと確実に根切りを行うこととを両立でき、芝生の養生を確実に行える上、作業がスムーズに行え、作業能率を大きく向上させられるという効果を奏する。また、根切り部を地面から抜いた後、根切り部内に残った土等は、これらが根切り部内に入り込んだことで根切り部から浮上がった状態の土落し部に対し、連結部を押下げて各土落し部をまとめて各根切り部先端側に進めることで容易且つ確実に除去でき、次の作業に支障が出ず、作業性に優れるという効果を有する。
【００２５】
また、本発明によれば、連結部を下方へ押圧可能な土落し部押下げ部及びこの土落し部押下げ部を上下動させる操作レバーを配設し、土落し部を根切り部内に進めて根切り部内の土を除去しようとする際、操作レバーの操作で土落し部押下げ部を介して連結部を押下げられることにより、ハンドルに近い操作レバーに対しハンドルを握った姿勢に近い状態で操作して容易に連結部及び土落し部を押下げられ、地面に近い連結部を手で直接取扱うことなく作業が進められ、作業性が大きく向上するという効果を有する。
【００２６】
また、本発明によれば、足踏み部と連結部の上側に上下動可能な足載せ部を配設し、土落し部を根切り部内に進めて根切り部内の土を除去しようとする際、足載せ部を足で踏むと下側に当接した連結部を押下げられることにより、ハンドルを握った姿勢に近い状態から足で容易に連結部及び土落し部を押下げられ、地面に近い連結部を手で直接取扱うことなく作業が進められ、作業性が大きく向上するという効果を有する。
【図面の簡単な説明】
【図１】本発明の一実施の形態に係る芝生根切り具の斜視図である。
【図２】本発明の一実施の形態に係る芝生根切り具の要部側面図である。
【図３】本発明の他の実施形態に係る芝生根切り具の要部正面図である。
【図４】従来の芝生根切り具の正面図である。
【符号の説明】
１、１００    芝生根切り具
２            根切り部
３            足踏み部
４            土落し部
５            フレーム
５ａ、１０１  ハンドル
５ｂ          ストッパ
６            連結部
７            土落し部押下部
８            操作レバー
９            足載せ部
１０２        柄
１０３        刃
１０４        ステップ
【図１】
2004305153.tif 000003
【図２】
2004305153.tif 000004
【図３】
2004305153.tif 000005
【図４】
2004305153.tif 000006